(57)【要約】      （修正有）【課題】仕掛けを巻き取る際に、巻き枠が回転することによる発生する巻き取り音が耳障りでない仕掛け巻きを提供する。【解決手段】蓋付のケース内に巻き枠が回転可能に収納された仕掛け巻きのケースの底身に複数の切り込み６を入れ、前記切り込み６をケース内側に向けて反らせ、かつ、切り込み６の先端部はケース底身に対して水平な状態にする。また、前記切り込み６の先端部の上面側に突起物７を形成し、前記突起物７と巻き枠の底面が適度な強さで密着するようにする。【選択図】図３
0003149716.tif 000002
【実用新案登録請求の範囲】
【請求項１】
蓋付のケース内に巻き枠が回転可能に収納された仕掛け巻きにおいて、前記蓋付ケースの底身に複数の切り込み６を入れ、前記切り込み６をケース内側に向けて反らせ、かつ、切り込み６の先端部はケース底身に対して水平な状態にし、前記切り込み６の先端部の上面側に突起物７を形成した事を特徴とする仕掛け巻き。
【考案の詳細な説明】
【技術分野】
【０００１】
本考案は、主に鮎釣りの仕掛けを巻き取るための仕掛け巻きに関するものである。
【背景技術】
【０００２】
従来の蓋付のケースに仕掛けを巻き取る為の巻き枠を収容した構成を取る仕掛け巻きは、ケースの蓋身に回動自在な回転板が付いており、これを回転させることによりケースに収容された巻き枠が回転し、仕掛けを巻き取る仕組みになっている。
【０００３】
また、図８のように、前記巻き枠の周囲には鋸歯状の突起１６が形成され、ケース底身には巻き枠に形成した鋸歯状突起１６に掛かるような爪１７が設けらている。強い力で巻き枠を回転させると、前記鋸歯状突起１６は前記爪１７を押し反らして通過する事ができるが、仕掛け巻きに振動等が加わって巻き枠が前後に動く程度の弱い力では、前記鋸歯状突起１６が前記爪１７で掛かり止まることになり、巻き枠が空回りする事を防ぐ事ができる。
【０００４】
巻き枠を回転させて仕掛けを巻き取る際、前記鋸歯状突起１６が、前記爪７を押し反らしながら通過する際、カチカチとした高音の摩擦音が発生する。釣り場でこの音が発するのは耳障りであり、魚を警戒させる一因になり、魚が釣れにくくなる。
【特許文献１】特開平１０−１７４５４４号公報
【考案の開示】
【考案が解決しようとする課題】
【０００５】
解決しようとする問題点は、巻き枠の空回りを防止するために設けられた機構である前記巻き枠に設けられた鋸歯状突起１６と、前記鋸歯状突起１６に掛かるように蓋付ケースの底身に設けられた爪１７が擦れる際に発する耳障りな高音が発生する点である。
【０００６】
また、図９に示すように鋸歯状突起の片辺１８と前記鋸歯状突起の隣に位置する鋸歯状突起の片辺１９のどちらかに爪が当たることにより、巻き枠の空回りを防ぐ事は出来るが、前記鋸歯の片辺１８及び、隣の鋸歯状突起の片辺１９間の距離分だけ遊びが生じ、巻き枠はわずかに前後に動いてしまう。仕掛け巻きをポケットやかばんに入れている際に、振動で前記巻き枠は前記遊びの分だけ何度も前後に揺れ動くことになり、巻き枠に巻き付けた仕掛けがゆるむ場合がある。
【課題を解決するための手段】
【０００７】
本考案は、蓋付ケース内に収納された巻き枠が空回りするのを防ぐ為の機構として、蓋付ケースの底身に複数の切り込み６を入れ、前記各切り込み６をケース内側に向けて反らせる。反らせる角度は下記する突起物７が適度な強さで巻き枠３の底面に接する事ができるように設定する。また、切り込み６の先端部はケース底身に対して水平な状態にし、前記切り込み６の先端部の上面側に突起物７を形成し、突起物７が巻き枠３の底面に接するようにした事を特徴とする。
【考案の効果】
【０００８】
本考案の仕掛け巻きは、蓋付ケースの底身に入れた複数の切り込み６を内側に反らせ、底身と平行に形成した各切り込み６の先端部に突起物７を形成している。前記突起物は巻き枠の底面に接しており、この接点での抵抗が巻き枠３の空回りを防ぐ。
【０００９】
仕掛けを巻き取る為に巻き枠３が回転する際、巻き枠３の底面は前記突起物７に接しながら回転することになるが、前記巻き枠３は突起物７とは点で接しているため摩擦音は非常に小さくなる。
【００１０】
また、巻き枠３の底面と前記複数の切り込み６の先端部に形成した突起物７との接点に生ずる抵抗により、巻き枠３はしっかり固定される。本考案仕掛け巻きをポケットやかばんに入れている際に振動が加わっても、この接点の抵抗により巻き枠３は微動しない。
【実施例１】
【００１１】
以下、本考案の実施例を図面を用いて説明する。図１、図２は、それぞれ本考案仕掛け巻きのケースが閉じた状態の斜視図、ケースが開いた状態の斜視図である。本考案仕掛け巻きは開閉可能な蓋身１０と底身１１からなるケース本体と表面に回転板指掛け部１を形成し、裏面に巻き枠の凹状部９と掛かり合いするように形成した凸状部８を複数有し、回動可能にケース蓋身１０に取り付けられた回転板２とケースに収容される開閉蓋５を備え、かつ、回転板２の凸状部８と掛かり合いするための凹状部９を複数備えた巻き枠３とで構成される。蓋身１０を閉じた状態で回転板指掛け部１に指を掛け、回転板２を回転させると前記凸状部８と前記凹状部９との掛かり合いにより巻き枠３は回転する。
【００１２】
図３は、ケース本体のみを開いた状態の斜視図である。底身１１は巻き枠収容枠１２を形成し、略Ｔ字状の切り込み６を３箇所形成し、前記切り込み６の周囲１ｍｍ位を切り欠き、隙間を設けている。前記切り込み６は根本から内側に向けて傾いて形成され、又、先端部の略Ｔ字の”−”付近は底身１１と平行になるように形成され、かつ、前記”−”部の両端付近にそれぞれ突起部７を形成している。また、底身１１の中心部は下記する巻き枠３に形成された巻き枠底面の凹部１４と嵌合するための軸部１３を形成している。
【００１３】
図４は、巻き枠３の平面図である。巻き枠３の表面に回転板２に形成した凸状部８に掛かり合いする為の凹状部９を形成し、また、開閉蓋５を形成している。図５は巻き枠の開閉蓋を開けた状態の斜視図である。巻き枠に仕掛けを巻き付けていく過程において釣り糸に取り付けたサカサ針や鼻環は巻き枠に巻き付けず、前記開閉蓋５を開けて巻き枠の中に収納するようにする。図６は巻き枠の背面図である。巻き枠の底面中央にはケース底身の軸部１３に嵌合する為の凹部１４を形成しており、軸部１３と凹部１４が嵌合することにより巻き枠３は軸部１３を中心に安定した軌道で回転する事が出来る。また巻き枠底面の外縁部付近には放射状に凹部１５を形成している。凹部１５はケース底身の切り込み部６に形成した突起部７に掛かり合うような間隔で形成する。また、凹部は切り込み部６に設けた突起部７が丁度収まる幅とする。
【００１４】
本考案に係る仕掛け巻きの実施例は上記のような構成をとり、仕掛けを巻き取るには、ケース指掛け部４に指を掛けケースを開閉し、内包されている巻き枠３を取り出し、開閉蓋５を開け、仕掛けに付いている鼻環やサカサ針を中に収容する。そして開閉蓋５を閉じて再度、ケース内に収容し、仕掛けの糸を糸口２０に通して前記ケースの蓋身を閉じる。そして回転板指掛け部１に指を掛け回転板２を回転させると、回転板２の裏面に形成した凸状部８と巻き枠３の表面に形成した凹状部９との掛かり合いにより、回転板の回転力が巻き枠３に伝わり、巻き枠３が回転し、仕掛けが巻き取られることになる。
【００１５】
また、巻き枠３の底面に放射状に設けた凹部１５のいずれかとケース底身の切り込み部６に設けた各突起部７とは係り合いながら常に接していることになり、これら接点での抵抗が巻き枠の空回りを防ぐことになる。さらにはケース蓋身を閉じることにより生じる圧着力が、回転板２の凸状部８と巻き枠３の表面の凹部９の接点にかかることも相まって、上下両面から巻き枠３は押さえられることになり、振動などが加わっても巻き枠３は微動することもない。本考案仕掛け巻き使用時においては、巻き枠３の底面の放射状に形成された凹部１５を含む外縁部は、切り込み部６の突起部７上を滑りながら回転し、接点で抵抗が発生するが、これによる抵抗は回転板２を回転させる上で負担になる程のものではない。
【００１６】
同時に巻き枠３が回転する際、巻き枠３の底面の放射状に形成された凹部１５を含む外縁部が切り込み部６の突起部７上を滑りながら回転する時に発生する摩擦音は耳障りな高音にはならない。
【産業上の利用可能性】
【００１７】
鮎釣りの仕掛けのように長尺で複数の部材が付いた仕掛けを耳障りな音を発せずに巻き取りたいという釣り人のニーズに答えることが出来る。
【図面の簡単な説明】
【００１８】
【図１】本考案仕掛け巻きのケースが閉じた状態の斜視図
【図２】本考案仕掛け巻きのケースが開いた状態の斜視図
【図３】ケース本体を開いた状態の斜視図
【図４】巻き枠の平面図
【図５】巻き枠の開閉蓋を開けた状態の斜視図
【図６】巻き枠の背面図
【図７】切り込み部６の中央断面拡大図
【図８】従来の仕掛け巻きのケースが開いた状態の底身の斜視図
【図９】鋸歯状の突起の周辺拡大図
【符号の説明】
【００１９】
１    回転板指掛け部
２    回転板
３    巻き枠
４    ケース指掛け部
５    開閉蓋
６    切り込み
７    突起部
８    凸状部
９    凹状部
１０  ケース蓋身
１１  ケース底身
１２  巻き枠収容枠
１３  軸部
１４  巻き枠凹部
１５  放射状に形成した凹部
１６  鋸歯状突起
１７  爪
１８  鋸歯状突起の片辺
１９  隣の鋸歯状突起の片辺
２０  糸口
【図１】
0003149716.tif 000003
【図２】
0003149716.tif 000004
【図３】
0003149716.tif 000005
【図４】
0003149716.tif 000006
【図５】
0003149716.tif 000007
【図６】
0003149716.tif 000008
【図７】
0003149716.tif 000009
【図８】
0003149716.tif 000010
【図９】
0003149716.tif 000011